(57)【要約】      （修正有）【課題】電源やその周辺領域が破損などしても、それらの部材がフレームの内側に飛散しないようにした立体メガネを提供する。【解決手段】本立体メガネ１は、透視部５を有するフレーム２に、電源７を収容する収容部２Ｂが形成されている。そして、フレーム２の収容部２Ｂを囲繞する領域は、顔面側となる内側よりも外側が低強度となるように形成されている。【選択図】図１
0003165634.tif 000002
【実用新案登録請求の範囲】
【請求項１】
透視部を有するフレームに電源を収容する収容部を形成した立体メガネであって、
前記フレームの収容部を囲繞する領域は、内側よりも外側が低強度に形成されていることを特徴とする立体メガネ。
【請求項２】
前記収容部を囲繞する領域の外側は、前記内側よりも薄肉厚に形成されていることを特徴とする請求項１に記載の立体メガネ。
【請求項３】
前記収容部は、前記外側がフレームに対して離脱可能なカバーで覆われていることを特徴とする請求項１又は２に記載の立体メガネ。
【請求項４】
前記電源は、収容部内において、内側の内面部に対して着脱可能に取着されていることを特徴とする請求項３に記載の立体メガネ。
【請求項５】
前記電源は、収容部の内側の内面部に対して、金属板を介在して着脱可能に取着されていることを特徴とする請求項４に記載の立体メガネ。
【請求項６】
前記電源は、収容部内において、前記離脱可能なカバーの内面に対して着脱可能に取着されていることを特徴とする請求項３から５のいずれか１項に記載の立体メガネ。
【請求項７】
前記カバーは、前記フレームに対して直交する方向に圧入される爪によってフレームに対して装着されることを特徴とする請求項３から６のいずれか１項に記載の立体メガネ。
【考案の詳細な説明】
【技術分野】
【０００１】
本考案は、立体的な画像を視認可能にする立体メガネに関する。
【背景技術】
【０００２】
従来、立体的な画像を楽しむために、家庭用テレビ、或いは映画館における映像機器として、３Ｄ画像を表示する画像表示装置が多数製品化されている。一般的に３Ｄ画像を見るためには、専用の立体メガネ（３Ｄメガネとも称されている）を用いる必要があり、このような立体メガネとして、アナグリフ方式や偏光方式等が知られている。これらの方式のメガネは、フレームに取着される透視部（通常のメガネではレンズが装着される部分となる）に、赤／青のフィルムを用いたり、偏光フィルムを設けたものであり、比較的安価な構成で立体的な画像を視認することができる。
【０００３】
また、上記した方式以外にも、より高画質の画像が視認できるように、例えば、特許文献１に開示されているような、シャッタ方式の立体メガネも知られている。このシャッタ方式の立体メガネは、テレビなどの画像表示装置から送信される信号でメガネを駆動制御するものであり、高速で左右の透視部に設けられている液晶シャッタを交互に開閉（ＯＮ／ＯＦＦ）駆動する構造となっている。
【先行技術文献】
【特許文献】
【０００４】
【特許文献１】特表２００９−５３１９７９
【考案の概要】
【考案が解決しようとする課題】
【０００５】
上記したような高画質型の立体メガネ（シャッタ方式の立体メガネ）は、フレーム部分に制御回路（液晶シャッタ駆動用の制御回路）、及び駆動用の充電池や電池（以下、電源と称する）などの機能部品が収容されることとなるが、従来の立体メガネでは、これらの収容方法については特に考慮されておらず、フレームの透視部の近傍を膨出させて収容するのが一般的となっている。
【０００６】
ところで、上記した機能部品に何らかの原因でトラブルが生じた場合、例えば、前記制御回路が電源の充電中、或いは使用中に不具合等が生じて短絡状態になると、前記電源が破裂する可能性があり、それに伴って周囲の部材が破損することも有り得る。そして、このようなケースを想定すると、電源の構成部材やその周囲の部材などがフレームの内側（顔面側）に飛散することは好ましいことではない。
【０００７】
本考案は、上記した問題に着目してなされたものであり、電源やその周辺領域が破損などしても、それらの部材がフレームの内側に飛散しないようにした立体メガネを提供することを目的とする。
【課題を解決するための手段】
【０００８】
上記した目的を達成するために、本考案は、透視部を有するフレームに電源を収容する収容部を形成した立体メガネであって、前記フレームの収容部を囲繞する領域は、内側よりも外側が低強度に形成されていることを特徴とする。
【０００９】
上記した構成の立体メガネは、フレームに形成された収容部に収容された電源が使用中に何らかのトラブルで破裂しても、収容部を囲繞する領域は、内側（立体メガネを装着した際の顔面側）よりも外側が低強度に構成されているため、たとえフレームが破損するようなことがあっても、部材を確実に外側に飛散させることができ、装着者の安全性が確保される。
【００１０】
なお、ここでの「低強度」とは、フレームに形成されている電源の収容部を断面で捉えた場合、収容部に対する内側構造（顔面側となる内側構造）よりも、外側構造が相対的に弱くなっている構成であることを意味する。例えば、収容部を囲繞する領域の外側を、内側よりも強度が低い素材で形成すること、内側に強度の高い部材（金属やＦＲＰのプレート）を設置すること、或いは、内側よりも外側を薄肉厚に形成すること等が含まれる。さらには、収容部の外側を、フレームに対して離脱可能なカバーで覆うことによって、収容部に対する内側構造よりも、外側構造を低強度化（電源が破裂してもカバー部分が容易に離脱できるため、内側と比較すると相対的に強度が弱くなる）することも可能である。
【００１１】
また、上記したように、収容部をカバーで覆う構成とした場合、そのカバーは、フレームに対して直交する方向に圧入される爪によってフレームに対して装着する構成にすることが好ましい。このような離脱構造とした場合、電源が破裂した際、カバー部分を容易に外側に飛散させることができ、内側へ部品が飛散することが確実に防止される。或いは、前記電源を、収容部内において、内側の内面部に対して着脱可能に取着したり、前記離脱可能なカバーの内面に対して着脱可能に取着することで、電源についても容易に外側に飛散させることができ、内側へ部品が飛散することが確実に防止される。
【考案の効果】
【００１２】
本考案によれば、電源やその周辺領域が破損などしても、それらの部材がフレームの内側に飛散しないようにした立体メガネが得られる。
【図面の簡単な説明】
【００１３】
【図１】本考案に係る立体メガネの全体構成を示す斜視図。
【図２】図１に示す立体メガネの側面図。
【図３】図２のＡ−Ａ線に沿った断面図。
【図４】（ａ）及び（ｂ）は、それぞれ本考案に係る立体メガネの別の実施形態を示しており、電源を収容する収容部の断面図。
【考案を実施するための形態】
【００１４】
以下、本考案に係る立体メガネの一実施形態について図面を参照しながら具体的に説明する。  
図１から図３は、本考案に係る立体メガネの第１の実施形態を示す図であり、図１は全体構成を示す斜視図、図２は側面図、そして、図３は図２のＡ−Ａ線に沿った断面図である。
【００１５】
本考案に係る立体メガネ１は、より高画質の画像が視認できるように、図示されていない画像表示装置側から送信される信号で制御されるシャッタ方式を採用している。図１に示すように、立体メガネ１は、装着者の耳に掛けられるフレーム２を備えており、このフレーム２には、装着者が透視する透視部（通常のメガネにおいてレンズ部分となる）５を保持する保持部２ａが設けられている。この場合、前記透視部５は、公知のように、液晶パネル（液晶シャッタ）として構成されており、画像表示装置側から送信される信号に基づいて、高速で左右の液晶パネルが交互に開閉（ＯＮ／ＯＦＦ）駆動され、立体的な画像を視認させるようになっている。
【００１６】
前記フレーム２は、合成樹脂などの素材で形成されており、前記保持部２ａの両端から後方側に延出する一対の腕部（通常のメガネでは、テンプルとも称される）２ｂを備えている。一対の腕部２ｂのそれぞれの中央部分には、ヒンジ部６が設けられており、一対の腕部２ｂを折畳めるようにしている。また、前記一対の腕部２ｂの一方（左目側）の前方部分は、前記透視部５を構成する液晶シャッタの駆動用の制御回路（図示せず）、及び駆動用の電源７などの各種機能部品が収容されるようになっている。具体的には、左目側の腕部２ｂのヒンジ部６よりも前方部分２Ａが、そのような機能部品が収容される部分となっており、前方部分２Ａには、電源７が収容される収容部２Ｂが形成されている。
【００１７】
なお、前記電源７は、図３に示すように、収容部２Ｂに対して多少の遊度をもって収容されていても良いし、空隙を有することなく収容されていても良い。また、電源７は、交換可能な電池であっても良いし、充電が可能な充電池であっても良い。充電池の場合、充電用の端子（図示せず）が外部に露出していても良いし、そのような端子を開閉可能なカバーで覆うようにしても良い。
【００１８】
そして、前記フレーム２（前方部分２Ａ）の収容部２Ｂを囲繞する領域は、顔面側となる内側よりも外側が低強度となるように構成されている。本実施形態では、図３に示すように、フレーム２の前方部分２Ａを形成している内側２Ｃよりも外側２Ｄを薄肉厚となるように構成している。すなわち、収容部２Ｂを囲繞する領域において、その内側２Ｃの肉厚をＴ１、外側２Ｄの肉厚をＴ２とした場合、Ｔ１＞Ｔ２となるようにフレーム２（前方部分２Ａ）が形成されており、これにより、電源７が収容される部分の外側２Ｄを、内側２Ｃに対して相対的に低強度化させている。
【００１９】
上記した構成の立体メガネ１によれば、収容部２Ｂに収容された電源７が使用中に何らかのトラブル（例えば、制御回路が電源７の充電中、或いは使用中に短絡状態になる等）が生じて破裂しても、収容部２Ｂを囲繞する領域は、内側２Ｃよりも外側２Ｄが低強度となっているため、たとえフレーム２（前方部分２Ａ）の部分が、破裂した電源と共に破損等しても、これら破損した部材を確実に外側に飛散させることが可能となり、装着者の安全性が確保される。
【００２０】
図４（ａ）は、本考案に係る立体メガネの第２の実施形態を示しており、電源を収容する収容部の断面図である。
【００２１】
本実施形態では、電源７を収容する収容部２Ｂの外側が、フレーム２に対して離脱可能なカバー１０で覆われている。収容部２Ｂは、フレーム２の前方部分において、外側が開口するように形成されており（開口部２Ｅ）、この開口部２Ｅを閉塞するようにして、板状のカバー１０が装着されるようになっている。
【００２２】
この場合、電源７は、収容部２Ｂ内において、例えば接着テープ（両面テープ）などの接着手段１２によって、内側の内面部２Ｆに対して着脱可能に取着されており、何らかのトラブルによって電源７が破裂しても、容易に内面部２Ｆから外れて外側に飛散できるようにしている。また、このような構成では、電源７は、接着手段１２と内面部２Ｆとの間、及び／又は接着手段１２との間に、金属板を介在して着脱可能に取着しておくことが好ましい。このように電源７を、収容部の内側の内面部に対して、金属板を介在して着脱可能に取着することで、フレーム２の内側をより強化することが可能となる。
【００２３】
さらに、本実施形態では、電源７は、離脱可能なカバー１０の内面に対して、例えば接着テープ（両面テープ）などの接着手段１３によって着脱可能に取着されており、カバー１０はフレーム２に対して係合することなく、開口部２Ｅを閉塞している。このため、収容部２Ｂの外側は、内側に対して構造的に十分に低強度化された状態となっており、何らかのトラブルによって電源７が破裂しても、カバー１０が確実に外側に飛散することができ、より装着者の安全性が確保されている。
【００２４】
図４（ｂ）は、本考案に係る立体メガネの第３の実施形態を示しており、電源を収容する収容部の断面図である。
【００２５】
本実施形態においても、電源７を収容する収容部２Ｂの外側は、フレーム２に対して離脱可能なカバー２０で覆われている。また、電源７は、収容部２Ｂ内において、例えば接着テープ（両面テープ）などの接着手段１２によって、内側の内面部２Ｆに対して着脱可能に取着されており、何らかのトラブルによって電源７が破裂しても、容易に内面部２Ｆから外れて外側に飛散できるようにしている。
【００２６】
さらに、前記カバー２０は、フレーム２に対して直交する方向（矢印で示す方向）に突出形成された爪２０ａが、フレーム２に形成された係合穴２Ｈに圧入されることで、矢印方向に沿って着脱可能に装着されている。これにより、カバー２０は、何らかのトラブルによって電源７が破裂しても、外側に容易に飛散することが可能となり、装着者の安全性が確保されている。
【００２７】
以上、本考案の実施形態について説明したが、本考案は、上記した実施形態に限定されることはなく、種々変形することが可能である。本考案では、電源７が収容される収容部２Ｂを囲繞する領域において、内側（顔面側）よりも外側が、強度的に低くなるような構造となっていれば良く、フレーム２の形状、機能部品の設置態様、電源７を収容する収容部の形状や電源の収容態様などについては、種々変形することが可能である。また、内側よりも外側を、強度的に低くなるような構造にする手法としては、例えば、収容部２Ｂを囲繞する領域の外側２Ｄを、内側２Ｃよりも強度が低い素材で形成しても良いし、内側２Ｄに金属やＦＲＰのプレートを取着したり埋設等しても良い。
【符号の説明】
【００２８】
１  立体メガネ
２  フレーム
２Ｂ  収容部
２Ｃ  内側
２Ｄ  外側
５  透視部
７  電源
１０，２０  カバー
【図１】
0003165634.tif 000003
【図２】
0003165634.tif 000004
【図３】
0003165634.tif 000005
【図４】
0003165634.tif 000006